(57)【要約】【課題】ハンガー使用時における衣類の重量に耐える機能を損なうことなく、ハンガー非使用時の収納性や携帯性を向上させた組立式ハンガーを提供する。【解決手段】二枚の板状部材からなるアーム部と、二つ折り可能な板状の吊り下げ部とで構成される組立式ハンガーを提供する。この発明のハンガーの組み立ては、アーム部に設けられた切欠穴に前記吊り下げ部を挿入し、当該吊り下げ部を二つ折りにして前記アーム部を挟んで固定することで行われる。組み立て前の各部材は、重ねて保管することができる形状もしくは一枚のシート状の材料から切り出して形成できる形態で構成される。【選択図】図１
2020062180.tif 000002
【特許請求の範囲】
【請求項１】
二枚の板状部材からなるアーム部と、二つ折り可能な板状の吊り下げ部からなり、前記アーム部に設けられた切欠穴に前記吊り下げ部を挿入し、当該吊り下げ部を二つ折りにして前記アーム部を挟んで固定することで、当該アーム部と前記吊り下げ部とが篏合することを特徴とする組立式ハンガー。
【請求項２】
二つ折りにした吊り下げ部とアーム部の固定が当該吊り下げ部に設けられた舌片と切り込みの係止によってなされることを特徴とする、請求項１記載の組立式ハンガー。
【請求項３】
アーム部を前方または後方に折り曲げることにより当該アーム部と衣類との接触面が増大された、請求項１または２記載の組立式ハンガー。
【発明の詳細な説明】
【技術分野】
【０００１】
本発明は、保管や持ち運びが容易な組立式ハンガーに関するものである。
【背景技術】
【０００２】
廃棄処理において環境への影響が少ない紙製のハンガーが提供されている（特許文献1）。また、保管時のスペースが少なくて済むように、シート状の紙から組み立てて使用するハンガーが提供されている（特許文献２）。
【先行技術文献】
【特許文献】
【０００３】
【特許文献１】特開２０００−１５２号公報
【特許文献２】実登第３０７０３２０号公報
【発明の概要】
【発明が解決しようとする課題】
【０００４】
しかしながら、ハンガーの保管時の大きさをより小さくし、形状も一層シンプルにすることができれば、ハンガーの保管や持ち運びが容易になり、従来、ハンガーを使用できなかった環境においてもハンガーの使用が可能になる。
【０００５】
この発明はこの点に着目し、ハンガー使用時における衣類の重量に耐える機能を損なうことなく、ハンガー非使用時の収納性や携帯性を向上させた組立式ハンガーを提供することを課題としてなされたものである。
【課題を解決するための手段】
【０００６】
上記の課題を解決するために、この発明のハンガーは、二枚の板状部材からなるアーム部と、二つ折り可能な板状の吊り下げ部とで構成される。組み立て前の各部材は、重ねて保管することができる形状もしくは一枚のシート状の材料から切り出して形成できる形態で構成される。この発明のハンガーの組み立ては、アーム部に設けられた切欠穴に前記吊り下げ部を挿入し、当該吊り下げ部を二つ折りにして前記アーム部を挟んで固定することで行われる。
【発明の効果】
【０００７】
この発明のハンガーは、ユーザーが手軽に組み立てることができ、組み立て前はバッグ等に収納可能であって、持ち運びに便利である。また、飛行機、新幹線、バスなどの座席ポケットでの収納にも適している。
【図面の簡単な説明】
【０００８】
【図１】この発明の実施の形態の組み立て完了状態の斜視図である。（実施例１）
【図２】同上の組み立て前の吊り下げ部の展開図である。
【図３】同じく組み立て前のアーム部の展開図である。
【図４】同じく組み立て途中の斜視図である。
【図５】ハンガーを吊り下げるための形状をフック状としたときの吊り下げ部の展開図である。
【図６】吊り下げ部およびアーム部を一枚のシートで一体化して提供する場合の当該シートの例である。（実施例２）
【発明を実施するための形態】
【０００９】
以下、図面を用いて本発明の実施の形態について説明する。
【実施例１】
【００１０】
図１は、本発明ハンガーの組み立て完了状態の斜視図、図２は吊り下げ部の展開図、図３はアーム部の展開図である。図４は本発明ハンガーの組み立て途中の斜視図、図５はハンガーを吊り下げるための形状をフック状としたときの吊り下げ部の展開図である。図中、１は完成したハンガー、２は吊り下げ部、３はアーム部であり、当該アーム部は切欠穴４を設けた第一アーム部材３ａおよび第二アーム部材３ｂからなる。
【００１１】
図４に示すとおり、ハンガー１の組み立ては、アーム部３に設けられた切欠穴４に吊り下げ部２を挿入し、当該吊り下げ部を二つ折りにして前記アーム部を挟み込み、さらに当該吊り下げ部に設けられた舌片５を同吊り下げ部に設けられた切り込み６に係止させ、アーム部３と吊り下げ部２を篏合することで完了する。
【００１２】
第一アーム部材３ａと第二アーム部材３ｂの結合位置は、それぞれに設けられた切欠穴を重ね合わせることで決まり、その状態で吊り下げ部２を当該切欠穴に挿入することで固定される。また、前記切欠穴の長さおよび幅は、それぞれ当該切欠穴に挿入する吊り下げ部２の部材の幅および厚みと同等にすることで、部材間の固定が容易となる。なお、図１に示す例では、第一アーム部材３ａおよび第二アーム部材３ｂが、それぞれハンガー１の前面および後面に位置して一部が重なり合う状態であるが、両部材の前後の位置関係は反対になってもよい。
【００１３】
吊り下げ部２は、図２に示す折り曲げ線Ｌ１に沿って折り曲げて重ねることができる。前記折り曲げ線Ｌ１の本数は、挟み込むアーム部の厚みに応じて１本または２本とすることが望ましく、図２では折り曲げ線を２本とした例を示す。そして、前記吊り下げ部２をアーム部３に挿入後、当該吊り下げ部２の折り重ねを行うことにより、アーム部３と吊り下げ部２とが一体となり、ハンガー全体の強度が増すことになる。
【００１４】
さらに図２に示すように、吊り下げ部２には同部材の板状面から垂直方向に立ち上がることが可能な舌片５が存在する。吊り下げ部２の折り重ねを行うとともに、この舌片５を折り曲げ線Ｌ２に沿って折り曲げて同部材に設けられた切り込み６に係止することで、重ね合わせた同部材の固定および同部材とアーム部３との結合を強固にすることができる。なお、アーム部３に設けられた切欠穴４への吊り下げ部２の挿入および当該吊り下げ部の折り重ねだけで両部材の結合が十分な場合は、この舌片５および切り込み６を用いた係止は省略してもよい。
【００１５】
図３に示すように、アーム部は折り曲げ線Ｌ３に沿って前方または後方に折り曲げることが可能である。ハンガー使用時にそのようにアーム部の一部を折り曲げることで、当該アーム部と衣服との接着面が増大し、衣服の損傷や落下を防止することができる。
【００１６】
吊り下げ部においてハンガーを吊り下げるための形状は任意に選択することができる。図１および図２は吊り下げ部の先端に穴を開けた形状の例、図５は吊り下げ部の先端をフック状にした形状の例を示す。なお、吊り下げ部においてハンガーを吊り下げるための先端部分は、使用する板状部材の強度が十分であれば、折り曲げ線Ｌ１に沿った吊り下げ部の重ね合わせ後に、当該先端部分のみの部材が一枚となる形態でもよい。
【００１７】
本発明ハンガーの材料としては、強度があって折り重ね可能であればよく、プラスチック、段ボール、合紙厚紙などを任意に選択できる。特に段ボールや合紙厚紙のような紙を用いることにより、有害物質を発生させない焼却処分等が容易になり、また、資源としての再利用が可能なハンガーを得ることができる。実施例１では、合紙厚紙（ＣＡＲＤ  ＢＯＡＲＤ  ＤＯＵＢＬＥ−ＳＩＤＥＤ  ＷＨＩＴＥ、厚さ約０．５８ｍｍ、サイズ約３０６×２２０ｍｍ、ＤＡＩＳＯ社）を切断してハンガーを形成した。そのような材料を用いた場合でも、ジャケット等を問題なく掛けれる強度を発揮することを確認した。
【実施例２】
【００１８】
図６の実施例は、本発明の組立式ハンガーを一枚のシート状の材料として提供する場合を示す。ハンガーの各部材は、当該シート状の材料から切り取り線Ｃに沿って切り出すことで用意でき、それを組み立てることで本発明ハンガーを得ることができる。このように、組立前の状態を一枚のシートにすることにより、保管スペースを少なくすることができる。また、本発明のハンガーをユーザーに単品で提供する場合も、バス、電車、飛行機等の座席ポケットに容易に収納することが可能になる。
【産業上の利用可能性】
【００１９】
組み立て前のハンガー形体をよりシンプルにすることによって、当該ハンガーの保管や持ち運びを容易にし、従来ハンガーを使用できなかった環境においてもハンガーを使用可能にできる。
【符号の説明】
【００２０】
１    ハンガー
２    吊り下げ部
３    アーム部
３ａ    第一アーム部材
３ｂ    第二アーム部材
４    切欠穴
５    舌片
６    切り込み
Ｌ１、Ｌ２、Ｌ３    折り曲げ線
Ｃ    切り取り線
【図１】
2020062180.tif 000003
【図２】
2020062180.tif 000004
【図３】
2020062180.tif 000005
【図４】
2020062180.tif 000006
【図５】
2020062180.tif 000007
【図６】
2020062180.tif 000008
【手続補正書】
【提出日】平成31年4月27日(2019.4.27)
【手続補正１】
【補正対象書類名】特許請求の範囲
【補正対象項目名】全文
【補正方法】変更
【補正の内容】
【特許請求の範囲】
【請求項１】
請求項１の内容
左右別体の第一アーム部材及び第二アーム部材とからなる板状のアーム部と、二つ折り可能な板状の吊り下げ部からなり、前記アーム部に設けられた切欠穴に前記吊り下げ部を挿入し、当該吊り下げ部を二つ折りにして前記アーム部を挟んで固定することで、当該アーム部と前記吊り下げ部とが篏合することを特徴とする組立式ハンガー。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
左右別体の第一アーム部材及び第二アーム部材とからなる板状のアーム部と、二つ折り可能な板状の吊り下げ部からなり、前記アーム部に設けられた切欠穴に前記吊り下げ部を挿入し、当該吊り下げ部を二つ折りにして前記アーム部を挟んで固定することで、当該アーム部と前記吊り下げ部とが篏合することを特徴とする組立式ハンガー。